(57)【要約】  【課題】  ペン体のガタツキ防止のために、Ｏリングを使用しているため、その部品の費用がかかってしまうばかりでなく、Ｏリングを前軸に組み付ける工数も要してしまい、その結果、製品の価格を高騰させてしまっていた。  また、ペン体が繰出し（出没）の過程で常にＯリングに摺接しているため、繰出しのための操作感が重たく、また、ややもすると、没入操作においては完全に没入しない場合が発生してしまっていた。  【解決手段】  軸筒内に筆記体を出没可能に配置した出没式の筆記具であって、前記筆記体を弾撥部材によって没入する方向へと付勢すると共に、その弾撥部材の内面を、前記筆記体の突出過程においては筆記体の外面に対して非接触状態であるものの、突出した状態においては筆記体の外面に接触してなる出没式筆記具。【選択図】  図１
2011156667.tif 000002
【特許請求の範囲】
【請求項１】
軸筒内に筆記体を出没可能に配置した出没式の筆記具であって、前記筆記体を弾撥部材によって没入する方向へと付勢すると共に、その弾撥部材の内面を、前記筆記体の突出過程においては筆記体の外面に対して非接触状態であるものの、突出した状態においては筆記体の外面に接触してなる出没式筆記具。
【請求項２】
前記弾撥部材をコイルスプリングにすると共に、そのコイルスプリングを中央部に向けて徐々に縮径させた請求項１記載の出没式筆記具。
【発明の詳細な説明】
【技術分野】
【０００１】
本発明は、軸筒内に筆記体を出没可能に配置した出没式の筆記具に関する。
【背景技術】
【０００２】
前軸に対して後軸を回転させると前軸内に収容されたレフィールが前後動し、レフィール先端のペン体が前軸ないし先口の先端開口から出没する回転繰出式筆記具において、前記前軸ないし先口の先端開口近傍の内部に、軟弾性材料からなり、前後動する該レフィールの先端部分の外周面に常時摺接するＯリングが配設された回転繰出式筆記具が知られている。
【特許文献１】実公昭２６０７４３９号公報。
【発明の開示】
【発明が解決しようとする課題】
【０００３】
しかし、上記の従来技術にあっては、ペン体のガタツキ防止のために、Ｏリングを使用しているため、その部品の費用がかかってしまうばかりでなく、Ｏリングを前軸に組み付ける工数も要してしまい、その結果、製品の価格を高騰させてしまっていた。
また、ペン体が繰出し（出没）の過程で常にＯリングに摺接しているため、繰出しのための操作感が重たく、また、ややもすると、没入操作においては完全に没入しない場合が発生してしまっていた。
【課題を解決するための手段】
【０００４】
本発明は、軸筒内に筆記体を出没可能に配置した出没式の筆記具であって、前記筆記体を弾撥部材によって没入する方向へと付勢すると共に、その弾撥部材の内面を、前記筆記体の突出過程においては筆記体の外面に対して非接触状態であるものの、突出した状態においては筆記体の外面に接触させたことを要旨とする。
【発明の効果】
【０００５】
本発明は軸筒内に筆記体を出没可能に配置した出没式の筆記具であって、前記筆記体を弾撥部材によって没入する方向へと付勢すると共に、その弾撥部材の内面を、前記筆記体の突出過程においては筆記体の外面に対して非接触状態であるものの、突出した状態においては筆記体の外面に接触させたので、安価で、しかも、出没動作が良好な筆記具を提供することができる。
【図面の簡単な説明】
【０００６】
【図１】本発明の第１例を示す縦断面図（筆記体収納時）。
【図２】図１の腰部拡大図。
【図３】本発明の第１例を示す縦断面図（筆記体突出時）。
【図４】図３の要部拡大図。
【図５】第２例を示す要部拡大図（筆記体収納時）。
【図６】第２例を示す要部拡大図（筆記体突出時）。
【図７】ばねかつらを示す外観斜視図。
【図８】第３例を示す要部拡大図（筆記体収納時）。
【図９】第３例を示す要部拡大図（筆記体突出時）。
【図１０】筒状のゴム状弾性体を示す外観斜視図。
【図１１】第４例を示す要部拡大図（筆記体収納時）。
【図１２】第４例を示す要部拡大図（筆記体突出時）。
【発明を実施するための最良の形態】
【０００７】
筆記体の１例として出没式のボールペンを挙げ説明するが、鉛筆芯の繰り出しを行うシャープペンシルユニットなどであっても良い。軸筒１の内部には、インキが収容されたボールペンリフィル２が前後動可能に配置されている。そのボールペンリフィル２の後部には、回転子３や摺動子４などからなるカム機構（一般的には、「デビットカム機構」と称されている。）が配置されており、前記ボールペンリフィル２の軸筒１先端からの突出状態が維持されるものとなっている。尚、本例においては、摺動子４の後部が軸筒１の後端開口部から露出し、ノック部４ａともなっているが、ノック部材を別部材で構成し、前記摺動子４に連結させても良い。また、軸筒１の後部には、クリップ５の基部６が装着されていると共に、その基部６の内面には、カム溝７が形成されている。尚、本例においては、出没機構として、デビットカム機構を例示しているが、ロータリー式のカム機構であっても良く、或いは、クリップによって筆記体（ボールペンリフィル）の突出状態を維持させる出没機構であっても良い。
前記ボールペンリフィル２は、後部がインキを収容するインキ収容部８となっており、前方部には細径部９を介してボールペンチップ１０が連結されている。また、ボールペンリフィル２は、ボールペンチップ１０も含めステンレスや洋白、真鍮などの金属材質から構成されているが、ポリプロピレンやポリエチレン、ポリアミド、ポリブチレンテレフタレートなど樹脂材質、或いは、それらの樹脂の表面にフッ素処理を施したものなどから構成しても良い。
前記ボールペンリフィル２の細径部９と軸筒１との間には、コイルスプリング１１が配置されている。そのコイルスプリング１１の後端部は、前記インキ収容部８と細径部９とによって形成される外面段部１２に係合しており、一方、コイルスプリング１１の前端部は、軸筒１の前方内面に形成した内面段部１３に係合している。これによって、コイルスプリング１１は、常に後方、つまり、没入する方向に向けて付勢されているのである。
【０００８】
次に、前記コイルスプリング１１について詳述する。コイルスプリング１１は、ステンレスや硬硬線材、ピアノ線材、真鍮、りん青銅などからなる金属材質で形成されているが、ポリアセタールやポリエチレン、エラストマーなどの樹脂材質から成形しても良い。また、コイルスプリング１１は、その前端部、並びに、後端部から中央部１４に向かって徐々に縮径するつつみ太鼓状をなしている。その縮径された中央部１４の内面は、ボールペンリフィル２が軸筒１内に収納されている状態においては、そのボールペンリフィル２の細径部９の外面に接触に接触していない。しかし、ボールペンリフィル２が軸筒１の先端開口部１５から突出した状態においては、ボールペンリフィル２の細径部９の外面にコイルスプリング１１の中央部１４の内面が接触し得るようになっている。即ち、ボールペンリフィル２が突出される際、コイルスプリング１１が圧縮されるが、この圧縮作用によって、コイルスプリング１１の中央部１４を含むその近傍部が縮径し、ボールペンリフィル２の細径部９に接触するのである。この接触によって、ボールペンリフィル１１の細径部９が固定され、その固定により、筆記動作によるボールペンリフィル１１の先端近傍におけるガタツキ（振れ）が防止され、その結果、違和感のない良好な筆記感が得られるのである。
また、前記コイルスプリング１１は、圧縮されることによって、大きな直径のコイルの内面が次に位置する小さなコイルの外面を押圧するため、この押圧動作によっても、コイルスプリング１１は徐々に縮径せしめられる。そして、この現象は、コイルスプリング１１の中央部１４近傍で、特に顕著となる。
尚、本例においては、コイルスプリング１１の中央部１４のみを縮径部としているが、その縮径部を２つ、或いは、３つと言った複数設けても良い。要は、その縮径部の内面が、ボールペンリフィル２の出没過程においては、そのボールペンリフィル２の外面に接触しておらず、突出した状態では接触していれば良いのである。
【０００９】
次に、動作について説明する。図１は、ボールペンリフィル２が軸筒１内に収納された状態である。この状態において、前記コイルスプリング１１の縮径部である中央部１４の内面は、細径部９の外面に接触していない。この状態から、ノック部４ａを押圧すると、デビットカム機構を介してボールペンリフィル２が前進するが、この時、コイルスプリング１１も圧縮せしめられる。さらに、ボールペンリフィル２の前進とコイルスプリング１１の圧縮が進行すると、やがて、ボールペンチップ１０が軸筒１の先端開口部１５から突出すると共に、コイルスプリング１１の中央部１４が細径部９に接触する。これで、筆記の準備がなされる。
ボールペンリフィル２を収納したい場合には、再び、ノック部４ａを押圧する。この押圧操作によって、デビットカムが作動すると共に、前記コイルスプリング１１の弾性復元力によって、そのコイルスプリング１１が伸長すると共に、ボールペンリフィル２が後退し、ボールペンチップ１０が軸筒１内に収納される。このコイルスプリング１１の伸長と共に、そのコイルスプリング１１の中央部１４とボールペンリフィル２の細径部９との接触が解除される。
【００１０】
第２例を図５〜図７に示し説明する。前記第１例のコイルスプリングに変え、中央部が縮径された筒状のばねかつら１６を、軸筒１とボールペンリフィル２との間に介在した例である。そのばねかつら１６は、薄い板状部材を筒状に湾曲・変形させることによって形成されていると共に、ステンレスや真鍮、りん青銅などを焼き入れした金属材質から形成されているが、ポリアセタールやポリエチレン、エラストマーなどの樹脂材質から形成しても良い。また、そのばねかつら１６は、中央部に向かって徐々に縮径する縮径部１７が形成されていると共に、良好な弾力性を得るために、長手方向に対して複数の貫通溝１８が形成されている。そして、そのばねかつら１６の後端部は、前記ボールペンリフィル２の外面段部１２に係合しており、前端部は先部材３の内面段部１３に係合している。
【００１１】
次に、動作について説明する。図５は、ボールペンリフィル２が軸筒１内に収納された状態である。この状態において、前記ばねかつら１６の縮径部１７の内面は、細径部９の外面に接触していない。この状態から、ノック部４ａを押圧すると、デビットカム機構を介してボールペンリフィル２が前進するが、この時、ばねかつら１６も圧縮せしめられる。さらに、ボールペンリフィル２の前進とばねかつら１６の圧縮が進行すると、やがて、ボールペンチップ１０が軸筒１の先端開口部１５から突出すると共に、ばねかつら１６の縮径部１７が細径部９に接触する。これで、筆記の準備がなされる。
ボールペンリフィル２を収納したい場合には、再び、ノック部４ａを押圧する。この押圧操作によって、デビットカムが作動すると共に、前記ばねかつら１６の弾性復元力によって、そのばねかつら１６が伸長すると共に、ボールペンリフィル２が後退し、ボールペンチップ１０が軸筒１内に収納される。このばねかつら１６の伸長と共に、そのばねかつら１６の縮径部１７とボールペンリフィル２の細径部９との接触が解除される。
【００１２】
第３例を図８〜図１０に示し説明する。前記第１例のコイルスプリングに変え、筒状のゴム状弾性体１９を、軸筒１とボールペンリフィル２との間に介在した例である。その筒状のゴム状弾性体１９は、シリコンゴムや天然ゴム、ニトリルゴム、ブチルゴム、フッ素ゴムなどから形成されているが、弾性変形が可能であるならば、ポリエチレンやエラストマーなどの樹脂材質から形成しても良い。また、その筒状のゴム状弾性体１９の側面には、弾力性を良好なものとするために、長手方向に対して複数の貫通溝を形成するなどしても良い。そして、その筒状のゴム状弾性体１９の後端部は、前記ボールペンリフィル２の外面段部１２に係合しており、前端部は先部材３の内面段部１３に係合している。
【００１３】
次に、動作について説明する。図８は、ボールペンリフィル２が軸筒１内に収納された状態である。この状態において、前記筒状のゴム状弾性体１９の内面は、細径部９の外面に接触していない。この状態から、ノック部４ａを押圧すると、デビットカム機構を介してボールペンリフィル２が前進するが、この時、筒状のゴム状弾性体１９も圧縮せしめられ、徐々に膨れ上がり膨出する。さらに、ボールペンリフィル２の前進と筒状のゴム状弾性体１９の圧縮・膨出が進行すると、やがて、ボールペンチップ１０が軸筒１の先端開口部１５から突出すると共に、筒状のゴム状弾性体１９の膨れ上がった内面が細径部９に接触する。これで、筆記の準備がなされる。
ボールペンリフィル２を収納したい場合には、再び、ノック部４ａを押圧する。この押圧操作によって、デビットカムが作動すると共に、前記筒状のゴム状弾性体１９の弾性復元力によって、その筒状のゴム状弾性体１９が伸長すると共に、ボールペンリフィル２が後退し、ボールペンチップ１０が軸筒１内に収納される。この筒状のゴム状弾性体１９の伸長と共に、その筒状のゴム状弾性体１９の内面とボールペンリフィル２の細径部９との接触が解除される。
【００１４】
第４例を図１１、図１２に示し説明する。前記第１例のコイルスプリングに変え、軸筒１の前方内面に弾性を有する筒状部２０を形成した例であるが、任意の間隔をおいて形成した弾性片としても良い。その筒状部２０は、中央部に向かって徐々に縮径する縮径分２１を有しており、ボールペンリフィル２が突出した際には、そのボールペンリフィル２の細径部９の外面が筒状部２０の内面に当接し得るようになっている。尚、本例においては、軸筒１に筒状部２０を一体成形すると共に、その筒状部２０の後端部をボールペンリフィル２の外面段部１２に係合させているが、筒状部材をボールペンリフィル２に一体形成すると共に、その筒状部材の先端部を軸筒の内面段部に係合させても良い。
【００１５】
次に、動作について説明する。図１１は、ボールペンリフィル２が軸筒１内に収納された状態である。この状態において、前記筒状部２０の内面は、細径部９の外面に接触していない。この状態から、ノック部４ａを押圧すると、デビットカム機構を介してボールペンリフィル２が前進するが、この時、筒状部２０も圧縮せしめられ、徐々に縮径部２１が縮径する。さらに、ボールペンリフィル２の前進と筒状部２０の圧縮・縮径が進行すると、やがて、ボールペンチップ１０が軸筒１の先端開口部１５から突出すると共に、筒状部２０の縮径部２１の内面が細径部９の外面に接触する。これで、筆記の準備がなされる。
ボールペンリフィル２を収納したい場合には、再び、ノック部４ａを押圧する。この押圧操作によって、デビットカムが作動すると共に、前記筒状部２０の弾性復元力によって、その筒状部２０が伸長すると共に、ボールペンリフィル２が後退し、ボールペンチップ１０が軸筒１内に収納される。この筒状部２０の伸長と共に、その筒状部２０の内面とボールペンリフィル２の細径部９との接触が解除される。
【符号の説明】
【００１６】
１      軸筒
２      ボールペンリフィル
３      回転子
４      摺動子
５      クリップ
６      基部
７      カム溝
８      インキ収容部
９      細径部
１０    ボールペンチップ
１１    コイルスプリング
１２    外面段部
１３    内面段部
１４    中央部
１５    先端開口部
１６    ばねかつら
１７    縮径部
１８    貫通溝
１９    筒状のゴム状弾性体
２０    筒状部
２１    縮径部
【図１】
2011156667.tif 000003
【図２】
2011156667.tif 000004
【図３】
2011156667.tif 000005
【図４】
2011156667.tif 000006
【図５】
2011156667.tif 000007
【図６】
2011156667.tif 000008
【図７】
2011156667.tif 000009
【図８】
2011156667.tif 000010
【図９】
2011156667.tif 000011
【図１０】
2011156667.tif 000012
【図１１】
2011156667.tif 000013
【図１２】
2011156667.tif 000014